(57)【要約】【課題】コンテンツの更新表示をユーザの所望するタイミングで行う。【解決手段】表示部１２は、折り畳み自在になっている。無線通送受信部は、コンテンツサーバからコンテンツを取得する。ＲＡＭには、取得したコンテンツがストレージされる。姿勢検出部は、ユーザが装置１０に与えた揺動を検出する。折り畳み状態検出部は、表示部１２の折り畳まれている、あるいは展開されている姿勢を検出する。付箋検出部は、一部コンテンツが表示される表示領域１１ａ〜１１ｇのうちの付箋４０が貼付けられた表示領域１１ｂ，１１ｃ、及びその数を検出する。ＣＰＵは、姿勢検出部と折り畳み状態検出部から得られる情報に基づいて特定動作がなされたと判定すると、付箋４０が貼付けられた表示領域１１ｂ，１１ｃに表示される一部コンテンツの表示更新を制限する。【選択図】図６
2013247482.tif 000002
【特許請求の範囲】
【請求項１】
複数のコンテンツで構成されるコンテンツを表示するための表示部と、
前記複数のコンテンツのうちの特定のコンテンツを選択する選択手段と、
前記選択手段で選択されたコンテンツの表示を制御する制御手段と、
を備えたことを特徴とする表示装置。
【請求項２】
請求項１記載の表示装置において、
特定動作を検出する動作検出手段を備え、
前記制御手段は、前記動作検出手段が特定動作を検出することに応答して、前記選択手段で選択されたコンテンツの更新表示を制限、又は許容することを特徴とする表示装置。
【請求項３】
請求項２に記載の表示装置において、
前記特定動作とは異なる第２の特定動作を前記動作検出手段が検出することに応答して、コンテンツサーバから前記コンテンツを取得する取得手段と、
前記取得したコンテンツを記憶する記憶手段と、
を備えることを特徴とする表示装置。
【請求項４】
請求項３に記載の表示装置において、
前記制御手段は、前記特定動作、又は前記特定動作と前記第２の特定動作とは異なる第３の特定動作を前記動作検出手段が検出することに応答して、前記更新表示が許容されている表示領域に対して前記記憶手段が記憶したコンテンツを使用して更新表示を実行することを特徴とする表示装置。
【請求項５】
請求項１から４のいずれか１項に記載の表示装置において、
前記表示部は、折り畳み可能な柔軟性を持つ構成であることを特徴とする表示装置。
【請求項６】
請求項５記載の表示装置において、
前記特定動作は、前記表示部を折り曲げた状態で振る動作になっていることを特徴とする表示装置。
【請求項７】
請求項５又は６に記載の表示装置において、
前記第２の特定動作は、前記表示部を特定サイズに折り畳んだ姿勢を一定時間保持する動作になっていることを特徴とする表示装置。
【請求項８】
複数のコンテンツで構成されるコンテンツを表示部に表示し、前記複数のコンテンツが表示される表示領域のうちの特定の表示領域を選択することで、前記選択された表示領域に表示されるコンテンツの更新表示を制限、又は許容することを特徴とする表示方法。
【発明の詳細な説明】
【技術分野】
【０００１】
本発明は、コンテンツを表示する表示方法及び装置に関する。
【背景技術】
【０００２】
広い表示エリアを確保しつつコンパクトに折り畳むことが可能な表示面を備えた表示装置が提供されている（特許文献１）。このような表示装置では、閲覧する領域だけを表面にして不要な部分を折り畳むことや、展開して全領域を俯瞰すること等、既存の紙媒体と同様の使い勝手を提供することができる。また、コンテンツのデータをデジタルとして扱うことで、新たなコンテンツを即座に入手し閲覧する利便性を併せ持つ。さらに、無線通信によって定期的なコンテンツの自動取得を行うことで、新聞や雑誌の定期購読と同様のサービスを実現することができる。
【先行技術文献】
【特許文献】
【０００３】
【特許文献１】特開平１−２８２５８７号公報（図１２）
【発明の概要】
【発明が解決しようとする課題】
【０００４】
しかしながら、前述したような定期的なコンテンツの自動取得と更新は、ユーザの閲覧するタイミングとマッチしないことがある。つまり、コンテンツのうち、未読、あるいはもう一度読み返したい一部のコンテンツがあるにもかかわらず、新たなコンテンツを自動的に取得して全てのコンテンツを最新ものにいっぺんに更新しまうことである。コンテンツの自動取得と更新タイミングをユーザの手動操作にすることが解決策として考えられる。しかし、手動操作では、その操作とユーザインターフェースが既存の紙媒体を扱うような気軽さ、シンプルさとかけ離れてしまい、利便性の面で低下するという問題があった。
【０００５】
本発明は、コンテンツの自動取得、及び更新表示のタイミングをユーザ側のタイミングで簡便に行えるように工夫した表示方法及び装置を提供することを目的とする。
【課題を解決するための手段】
【０００６】
本発明を例示する表示装置の一態様は、複数のコンテンツで構成されるコンテンツを表示するための表示部と、前記複数のコンテンツのうちの特定のコンテンツを選択する選択手段と、前記選択手段で選択されたコンテンツの表示を制御する制御手段と、を備えたものである。
【０００７】
また、特定動作を検出する動作検出手段を設け、前記制御手段は、前記動作検出手段が特定動作を検出することに基づいて、前記選択手段で選択されたコンテンツの更新表示を制限、又は許可するように構成してもよい。
【０００８】
さらに、前記特定動作とは異なる第２の特定動作を前記動作検出手段が検出することに基づいて、コンテンツサーバから前記コンテンツを取得する取得手段と、前記取得したコンテンツを記憶する記憶手段と、を備えてもよい。
【０００９】
また、前記制御手段は、前記特定動作、及び前記第２の特定動作とは異なる第３の特定動作を前記動作検出手段が検出することに基づいて、前記更新表示が許容されている表示領域に対して前記記憶手段が記憶したコンテンツを使用して更新表示を実行するように構成してもよい。
【００１０】
前記表示部としては、折り畳み可能な柔軟性を持つ構成にしてもよい。この場合、前記第２の特定動作としては、前記表示部を特定サイズに折り畳んだ姿勢を一定時間保持する動作としてもよい。また、前記第３の特定動作としては、前記表示部を特定サイズに折り曲げた姿勢を保って上下、又は左右、あるいは斜め方向に振る動作、すなわち一方向に揺動させる動作としてもよい。
【発明の効果】
【００１１】
本発明によれば、コンテンツの自動取得、及び更新表示のタイミングをユーザ側のタイミングで簡便に行うことができる。
【図面の簡単な説明】
【００１２】
【図１】本発明の表示装置の一実施形態を示す斜視図である。
【図２】複数の表示部を重ねて組み合わせた別の表示装置の一実施形態を示す斜視図である。
【図３】表示装置の一実施形態を示すブロック図である。
【図４】表示装置での表示更新の手順を示すフローチャートである。
【図５】表示装置での表示更新を実行する特定動作を示す斜視図である。
【図６】表示更新の制限を行うための付箋を貼り付けた状態の表示装置の一実施形態を示す斜視図である。
【発明を実施するための最良の形態】
【００１３】
本発明の一実施形態である表示装置１０は、図１に示すように、コンテンツを表示する表示面１１を有するシート状の表示部１２を備える。表示部１２は、内面、又は外面に折り畳み自在となるように柔軟性を有する材料で形成されている。同図に示す表示部１２には、例えば四つ折に折り畳む時の折り目１３を示している。表示面１１には、画像や文字情報等のコンテンツが表示される。表示面１１は、複数の表示領域で構成されていてもよいし、複数の表示面を組み合わせた構成であってもよい。複数の表示領域、又は複数の表示面は、同じサイズ同士、あるいは同じサイズと異なるサイズとの組み合わせで構成されてもよい。コンテンツを構成する一部コンテンツは、各表示領域、又は各表示面に表示される。以下では、表示面１１は、複数の表示領域を含むものとして説明する。
【００１４】
表示面１１は、フレキシブル基板の片側に設けてもよいし、両面に設けてもよい。いずれの場合でも、どちらの面を表にしても折り畳みが可能である。両面ともに表示面１１にする場合には、ユーザ（使用者）の任意の面を表側として折り畳むことができる。
【００１５】
折り目（折り曲げ位置）１３は、複数の表示領域の間、あるいは複数の表示面の間としてもよいし、表示面１１の可撓性が十分にある場合は、どの場所でも折り曲げられるような構成としてもよい。前者の場合には、折り畳みサイズが一定のサイズに決められること、折り目１３の部分に表示中のコンテンツが重ならないように表示することができる。後者の場合には、紙媒体と同様に、ユーザの所望するサイズや形状に折り畳むことができる。
【００１６】
なお、図２に示すように、既存の紙媒体である新聞のように、シート状の表示部１６〜１８を複数枚重ねて一つの表示装置１５を構成してもよい。符合１４は、電源ボタンである。電源ボタン１４は、透明であってもよい。コンテンツデータの表示を妨げない隅に設けるのが好適である。
【００１７】
表示装置１０は、図３に示すように、折り畳み状態検出部２０、姿勢検出部２１、付箋検出部２２、タッチセンサ２３、Ｉ／Ｆドライバ２４、電源コントローラ２５、バッテリ２６、ＲＯＭ２７、ＲＡＭ２８、無線ドライバ２９、無線送受信部３０、表示ドライバ３１、カウンタ３２、及びこれらを統括的に制御するＣＰＵ３３等を含む。なお、折り畳み状態検出部２０と姿勢検出部２１は動作検出手段の一例であり、また、付箋検出部２２は選択手段の一例である。さらに、カウンタ３２はタイマ回路の一例であり、また、ＣＰＵ３３は制御手段の一例である。
【００１８】
折り畳み状態検出部２０は、表示部１２の折り畳み、又は展開状態を検出するセンサである。このセンサとしては、例えば折り目１３に配された屈曲センサになっている。この場合は、全ての屈曲センサの検出した角度が０度（あるいは０度近辺）であることを最小サイズに折り曲げられた状態としてＣＰＵ３３が判定する。両面どちら側にも折り畳み可能な表示装置１０の場合には、角度は０度あるいは３６０度のいずれかに全て揃った場合に上記状態として判定すればよい。また、屈曲センサの代わりに、折り畳み時に対向する領域に微小な電極を配して、それら間の導通を検出して折り畳み状態を判定する構成であってもよい。また、折り畳まれて環境光が遮られた状態を照度センサによって検出して折り畳み状態を判定する構成であってもよい。
【００１９】
姿勢検出部２１は、例えば表示装置１０に加えられた加速度を検出する加速度センサであり、表示装置１０の姿勢を検出する。付箋検出部２２は、表示面１１に貼り付けられる付箋の数及び位置を検出する。ＲＡＭ２８は、コンテンツデータをストレージする。
【００２０】
ＲＯＭ２７には、オペレーションシステム（ＯＳ）や、電子書籍リーダ等のアプリケーションプログラムが予め記憶されている。無線ドライバ２９は、無線送受信部３０を介してアクセスポイント３４に無線接続してコンテンツサーバ３５からコンテンツデータを受信する。タッチセンサ２３は、透明でかつ柔軟性を有する材料で形成されており、表示面１１の上に積層して設けられている。前述した電源ボタン１４は、表示画面とタッチセンサ２３の組合せからなるタッチパネルになっている。電源コントローラ２５は、各部にバッテリ２６の電源を供給する。ＣＰＵ３３は、ユーザの特定操作に応答してコンテンツデータを画像処理して表示ドライバに送る。この処理は、取得されるコンテンツに含まれる一部コンテンツに基づいて表示領域の数やサイズ等のレイアウトを決め、決めたレイアウトで一部コンテンツを表示する処理である。なお、コンテンツデータにレイアウト情報等が付与されている場合には、ＣＰＵ３３は、レイアウト情報に基づいて一部コンテンツを表示するように制御すればよい。
【００２１】
なお、バッテリ２６、及び各部を含む電子基板等は、表示部１２の折り曲げ、又は展開を阻害しないように表示面１１と折り目１３を避けて端部にまとめて配置するのが好適である。また、表示面１１にシート状の部材として積層して配してもよい。さらに、電子基板を含むコントローラ部と表示部１２とを分離し、互いを有線、あるいは無線接続する構成であってもよい。これによれば、可搬性や収納性が向上する。
【００２２】
次に、上記構成の作用を、図４を参照しながら説明する。電源ボタン１４をオンするとＯＳが起動し、次に電子書籍リーダのアプリケーションプログラムが実行される。
【００２３】
＜新規コンテンツの取得＞
ＣＰＵ３３は、姿勢検出部２１と折り畳み状態検出部２０とから得られる情報に基づいて、特定の状態、例えば最小サイズに折り畳んだ状態、この例では４つ折り状態であると判定すると、カウンタ３２を作動してカウントを開始し、一定時間を超えて前述した４つ折り状態が維持された場合（Ｓ−３の「Ｙ」側）、無線ドライバ２９を制御してコンテンツサーバ３５にアクセスして、新規のコンテンツの有無を確認する（Ｓ−４）。ＣＰＵ３３は、新規のコンテンツがコンテンツサーバ３５にある場合（Ｓ−４の「Ｙ」側）、新規のコンテンツデータをダウンロードしてＲＡＭ２８に格納するように各部を制御する（Ｓ−５）。そして、ＣＰＵ３３は、ＲＡＭ２８に格納が完了した後に、コンテンツサーバ３５とのアクセスを終了する（Ｓ−６）。
【００２４】
＜コンテンツの表示・更新＞
しかる後、ＣＰＵ３３は、姿勢検出部２１と折り畳み状態検出部２０とを監視し、図４に示すように、例えば表示装置１０に対して最小サイズに折り畳んだ状態で上下に振る特定動作がなされたか否かを判定する（Ｓ−７）。特定動作であると判定した場合（Ｓ−７の「Ｙ」側）、付箋検出部２２を監視する動作（Ｓ−１０）と、付箋４０を検出するか否かの判定動作（Ｓ−１１）とがあるが、ここでは付箋４０の検出はないと判定して（Ｓ−１１の「Ｎ」側）、未表示のコンテンツが有るか否かを判定し（Ｓ−８）、有る場合には、未表示のコンテンツを表示する（Ｓ−９）。
【００２５】
勿論、最初は、表示面１１は無表示であるので、ＣＰＵ３３は、ＲＡＭ２８に格納したコンテンツを表示面１１に表示するように制御する。ここで、コンテンツは、複数の一部コンテンツを含み、各一部コンテンツは、表示サイズ、又は優先度、あるいは順位付けに基づいて、複数の領域のうちの特定の領域に対応付けされて各々表示される。未表示の新規の一部コンテンツがある場合（Ｓ−８の「Ｙ」側）、旧一部コンテンツを表示面１１に表示している場合それを消去し、表示面１１に新規の一部コンテンツを表示するよう制御する（Ｓ−９）。
【００２６】
ＣＰＵ３３は、取得した複数の一部コンテンツのうち、一度表示した一部コンテンツと未表示の一部コンテンツとを判別する判別手段を有する（Ｓ−８）。ＣＰＵ３３は、未表示の一部コンテンツがある場合（Ｓ−８の「Ｙ」側）、対応する旧一部コンテンツを表示領域から消去し、その表示領域に新規の一部コンテンツを表示するよう制御する（Ｓ−９）。
【００２７】
なお、ＣＰＵ３３は、表示装置１０に対して上下に振る特定動作がなされたと判定する判定手段の一例である。判定手段としては、ユーザが能動的にコンテンツを更新表示したい場合のみ機能するように（表示装置１０を持ち運ぶ時の振動で誤ってコンテンツを更新表示しないように）、上下の振動が所定の振幅と周期とに一致するか、又は所定の条件を満たす時に、特定動作であることを判定するように構成してもよい。
【００２８】
上記のように表示装置１０に対して特定動作を実行することで表示更新が行われるが、ユーザがコンテンツ全てを閲覧していない場合（例えば新聞コンテンツであれば、ある記事は読み終わっているが別の記事は未読である等）、あるいは読み返したい部分があるため、表示更新を制限したいケースがあると考えられる。この場合には、そのような表示更新の制限を以下のように実現する。
【００２９】
＜コンテンツの表示更新制限＞
本実施形態では、図６に示すように、表示面１１に設定されている表示領域１１ａ〜１１ｇに表示されているコンテンツのうち、表示更新を制限する表示領域１１ｂ，１１ｃに一部、又は全部がかかるように付箋４０を貼り付ける。
【００３０】
ＣＰＵ３３は、付箋検出部２２を監視し（Ｓ−１０）、付箋検出部２２が付箋４０の貼り付けを検出した場合（Ｓ−１１の「Ｙ」側）、ＣＰＵ３３は、付箋４０により指標された表示領域以外の領域に表示されている一部コンテンツを消去し、消去した表示領域に新規の一部コンテンツを表示するよう制御する（Ｓ−１２）。
【００３１】
なお、ＣＰＵ３３は、付箋４０が貼り付けられた領域以外を新規に入れ替えるように制御しているが、逆に付勢４０が貼り付けられた表示領域のみを新規に入れ替えるように制御してもよい。この場合は、定期的に新しい情報が更新される新聞や雑誌とは異なり、通信販売のカタログリスト等、ユーザが興味を持った情報だけをアップデートするようなコンテンツを閲覧する表示装置１０に適している。
【００３２】
また、付箋４０は、一般的な事務用品として使われている紙と紙の一方の面に設けた糊（張り替え自在な粘着層）で構成された製品を用い、付箋検出部２２は、表示面１１に密着した糊面の表面電位を、タッチセンサ２３に組み込まれた表面電池センサ等で検出する。さらに、付箋４０を表示装置１０の専用のものとして作ってもよい。この場合は、例えばＲＦＩＤ（Radio Frequency Identification）を埋め込んだ粘着付きシート部材や、特殊なバーコードを付与した粘着付きシート部材等を付箋４０とするのが望ましい。この場合、付箋検出部２２としては、ＲＦＩＤが発する電波を受信する受信機、あるいはバーコードを読み取る読み取りセンサにしてもよい。これによれば、例えば表示更新制限以外の様々な機能を与えることが可能になる。ユーザが特定の情報をＲＦＩＤやバーコードに持たせることで、例えば表示領域の別の表示装置との連携、他者への共有、ストレージへの記録等を行うことができる。
【００３３】
このように付箋４０を使って部分的な表示更新を行うと、バッテリの消費電力を抑えることができる。というのは、例えば電子ペーパ等の表示装置では、表示をしていて通電していない状態、つまり消費電力を抑えている状態で、少しでも操作を行うと、ページ単位で表示が切り替わり、それだけで電力を消費する。本実施形態では、付箋４０が貼られていて、折り畳まれているタイミングで付箋４０をチェックするだけで済むので、検出に要する消費電力も抑えられ、しかも、部分的な表示更新のみであるので、全体の消費電力も抑えることができる。
【００３４】
＜付箋によって表示更新が制限された表示領域の扱い＞
付箋４０の貼り付けによって表示更新を制限された表示領域は、「より新しい一部コンテンツが存在する」ということを示すために、表示領域の枠を表示面１１上に重ねた状態で表示させるように構成してもよい。つまり、ＣＰＵ３３は、新たに取り込んだコンテンツを参照して、付箋４０で選択される表示領域に表示する新たな一部コンテンツが存在することを検出する手段を有し、その手段が新たな一部コンテンツの存在を検出すると、対応する表示領域の枠を隣の表示領域の上、又は下に重なるように表示を制御する。これによれば、新たな一部コンテンツがあることをユーザに迅速に知らせることができる。ユーザは、付箋４０の貼り付けにより選択した表示領域に表示される一部コンテンツを読み終えた後に付箋４０を外せばよい。
【００３５】
ＣＰＵ３３は、付箋検出部２２を監視して、付箋４０を外すことに応答して新たな一部コンテンツの取得を実行し、その後、表示更新を行う。勿論、特定動作、例えば折り畳んだ状態で上下に振る特定動作が行われたことを検出することに応答して表示更新を行うように構成してもよい。また、付箋４０を外した後も表示を切り替えず、画面をタッチすることで一部コンテンツを切り替えるように表示を制御する構成であってもよい。ここで、付箋４０の貼り付けにより選択された表示領域に対して、表示更新を許容するのではなく、表示更新の制限をかける理由としては、一部又は全部がかかるように付箋４０を貼り付けることで一部コンテンツの一部が隠され、付箋４０を取り外さなければ一部コンテンツ、例えば記事を読めない状況になるため、外すことで表示更新を許容する構成にするのが好適であるとの理由からである。
【００３６】
＜別デバイスとの連携、他者への共有、ストレージへの記録＞
上記各実施形態では、一部コンテンツの更新表示を制限、又は許容する表示領域を選択するために付箋４０を使用しているが、本発明ではこれに限らず、これら機能とは異なる機能のために使用してもよい。例えば、付箋４０を貼った表示領域を別デバイスで閲覧することができるように構成にしてもよい。
【００３７】
具体的には、コンテンツの閲覧を中断した時に、閲覧途中、あるいは閲覧完了した表示領域を付箋４０の貼り付けにより選択しておくことで、ＣＰＵ３３は、選択した表示領域に表示される一部コンテンツにマークを付けるためのマーク情報、及び識別情報（ユーザーＩＤ）等をコンテンツサーバ３５にアップロードする手段を有する。ユーザは、最初にコンテンツを閲覧し始めた表示装置１０とは異なる他の表示装置（例えば、ＰＣや、携帯情報端末等）で、コンテンツサーバ３５に前記識別情報を用いて接続する。コンテンツサーバ３５は、識別情報に対応付けされているマーク情報に基づいて、事前に選択しておいた一部コンテンツのダウンロードを許可する。これにより、他の表示装置で続きから閲覧することができる。
【００３８】
あるいは興味を持った記事を表示している表示領域を付箋４０の貼り付けにより選択しておくことで、前述したと同じように処理されて、その表示装置１０とは異なる他の表示装置でダウンロードして、後から読み返すことができるように構成してもよい。
【００３９】
いずれの用途でも、基本的には、所望する表示領域を付箋４０の貼り付けにより選択しておくことで、選択された表示領域に表示される一部コンテンツに対して指標情報をコンテンツサーバ３５に対して送信する機能等、各種機能が呼び出されるシンプルなインターフェースであることを特徴とする。なお、付箋４０を貼り付けた時点、あるいは貼り付けた状態で表示部１２を折り畳む、さらに小刻みに振る等の特定動作を行った時点で、これらの機能が実行されるように構成してもよい。
【００４０】
以上のように、本発明では、紙媒体を扱うのと同様のメタファーを導入したユーザインターフェースの機能によって、シンプルで直感的な体験をユーザに提供することが可能になる。
【００４１】
なお、上記実施形態では、表示領域の選択を付箋４０の貼り付けにより行っているが本発明ではこれに限らず、例えば表示領域毎にチェックボックスを表示して設け、チェックボックスをタッチ操作することでチェックマークを表示、又は非表示させて選択、又は非選択させるように構成してもよい。
【００４２】
上記各実施形態では、折り畳み自在の表示部１２を有する表示装置１０として説明しているが、本発明の表示部１２は折り畳み自在でなくてもよい。
【００４３】
上記各実施形態では、ＣＰＵ３３が特定サイズの状態、例えば４つ折り状態を一定時間保持したことを検出した時にコンテンツを自動取得（ダウンロード）しているが、本発明ではこれに限らず、他の特定動作を検出した時に行うように構成してもよい。
【００４４】
上記各実施形態では、表示部１２を折り畳んだ状態で上下に振る特定動作を検出した時にＣＰＵ３３がコンテンツを更新表示するように制御しているが、本発明ではこれに限らず、コンテンツを自動取得する時の特定動作とは異なる特定動作、例えば特定サイズに折り畳んだ状態で左右に振る特定動作、又は丸めた状態で上下に振る等の特定動作を検出した時に制御するように構成してもよい。また、ＣＰＵ３３は、更新表示をするタイミングで付箋４０を検出しているが、本発明ではこれに限らず、自動取得や表示更新を行うための特定動作とは異なる特定動作を検出することに応答して付箋４０を検出しにいくように構成してもよい。
【符号の説明】
【００４５】
１０，１５  表示装置
１１  表示面
１２，１６，１７，１８  表示部
１３  折り目
１４  電源ボタン
【図１】
2013247482.tif 000003
【図２】
2013247482.tif 000004
【図３】
2013247482.tif 000005
【図４】
2013247482.tif 000006
【図５】
2013247482.tif 000007
【図６】
2013247482.tif 000008